(57)【要約】  第１端部（２）及び第２端部（３）を有する本体（１）と、前記第１端部と第２端部との間に配置された、生の振動応答を発生させる共鳴板（４）と、前記共鳴振動を受ける接触マイクロホン又はセンサ（５）とを備えた、全体的又は部分的な楽器共鳴振動を発生させることができる電気機械楽器であって、前記本体が、前記本体の前記第１端部と第２端部との間に配置された剛性部材（６）を含み、前記剛性部材が、前記本体の前記第１端部と第２端部との間で引張又は圧縮を加え、且つ、同時に、前記本体の前記第１端部と第２端部との間で前記共鳴板に接触するように適合されており、それにより、前記引張又は圧縮を加えることが前記楽器の前記共鳴振動を調節又は修正する電気機械楽器。
2014517340.tif 000002
【特許請求の範囲】
【請求項１】
全体的又は部分的な楽器共鳴振動を発生させることができる電気機械楽器であって、
第１端部及び第２端部を有する本体と、前記第１端部と第２端部との間に配置された、生の振動応答を発生させる共鳴板と、前記共鳴振動を受ける接触マイクロホン又はセンサとを備えた、前記本体が、前記本体の前記第１端部と第２端部との間に配置された剛性部材を含み、前記剛性部材が、前記本体の前記第１端部と第２端部との間で引張又は圧縮を加え、且つ、同時に、前記本体の前記第１端部と第２端部との間で前記共鳴板に接触するように適合されており、前記引張又は圧縮を加えることによって前記楽器の前記共鳴振動を調節又は修正する、電気機械楽器。
【請求項２】
前記剛性部材が前記第１端部に永久的に固定されており、且つ、前記第２端部に、前記引張又は圧縮に対する即時の調節と、これにより得られる前記共鳴振動に対する修正とを可能にするように調節可能に取り付けられている請求項１に記載の楽器。
【請求項３】
前記剛性部材が、本体の前記第１端部と第２端部とを一緒に引くことにより前記共鳴板に圧縮を加える請求項１又は２に記載の楽器。
【請求項４】
前記剛性部材が細長いロッドである請求項１〜３のいずれか一項に記載の楽器。
【請求項５】
前記細長いロッドが、ほぼ真直であり、且つ、長手方向軸に沿ったわずかな偏位を有し、これにより、前記共鳴板との前記接触を生じるように前記歪みの方向に付勢されている請求項４に記載の楽器。
【請求項６】
前記剛性部材が、軟鋼、集成木材、ポリカーボネート、炭素繊維又はその他の合成材料の組合せのいずれかから選択される請求項１〜５のいずれか一項に記載の楽器。
【請求項７】
前記剛性部材が、前記剛性部材の第２端部にねじ部を含み、前記ねじ部が前記本体の第２端部に、前記引張又は圧縮を必要に応じて加えるために、回転可能なキャプティブナットを用いて取り付けられている請求項１〜６のいずれか一項に記載の楽器。
【請求項８】
前記マイクロホン又はセンサが、前記共鳴板の下に、前記剛性部材に隣接して配置されている請求項１〜７のいずれか一項に記載の楽器。
【請求項９】
前記マイクロホン又はセンサが、前記剛性部材と前記共鳴板との前記接触点に隣接して配置されている請求項８に記載の楽器。
【請求項１０】
図面を参照して以上に実質的に記載した請求項１〜９のいずれか一項に記載の楽器。
【発明の詳細な説明】
【技術分野】
【０００１】
関連出願の相互参照
本出願は、豪州仮特許出願第２０１１９０１７６２号の優先権を主張し、前記出願の内容の全てが参照により本明細書に組み込まれる。
【０００２】
本発明は、伝統的な楽器の電気版、特には、楽器のトーン応答を電気的又は電子的検出により増幅する電気機械楽器に関する。また、本発明は、様々な弦楽器、及び、楽器全体又は楽器全体の一部から共鳴振動を発生させることができるその他の楽器を含む。
【背景技術】
【０００３】
楽器の電気的又は電子的増幅を用いた音の発生は、完全に電子的な楽器（例えば、純粋に電気的に生成された信号を発生するエレキギター）から、本質的に伝統的な様々なアコースティック楽器（マイクロホンピックアップなどを組み込み、本質的に伝統的な楽器により発生されるアコースティック音の伝統的な電子増幅を用いる）まで、様々である。これらの２つの両極間で、様々な半伝統的な電気的に増幅される楽器が開発されてきた。
【発明の概要】
【発明が解決しようとする課題】
【０００４】
しかし、バイオリン、チェロなどを含むこのタイプの弦楽器の完全に満足な電子版を開発する試みはまだ成功していない。これは、電子増幅により与えられるこれらの楽器の共鳴振動から成る人工的／不自然な演奏による。詳細には、現在まで、伝統的な弦楽器の電子版は、これらの楽器の特徴である楽器全体の共鳴振動を捕え又は再生することに成功していない。本発明の目的の１つは、改良された楽器を提供することである。      
【課題を解決するための手段】
【０００５】
全体的又は部分的な楽器共鳴振動を発生させることができる電気機械楽器であって、第１の態様において、本発明は、第１端部及び第２端部を有する本体と、前記第１端部と第２端部との間に配置された、生の振動応答を発生させる共鳴板と、前記共鳴振動を受ける接触マイクロホン又はセンサとを備え、前記本体が、前記本体の前記第１端部と第２端部との間に配置された剛性部材を含み、前記剛性部材が、前記本体の前記第１端部と第２端部との間で引張又は圧縮を加え、且つ、同時に、前記本体の前記第１端部と第２端部との間で前記共鳴板に接触するように適合されており、前記引張又は圧縮を加えることによって前記楽器の前記共鳴振動を調節又は修正する電気機械楽器を提供する。
【０００６】
前記剛性部材は前記第１端部に永久的に固定されており、且つ、前記第２端部に、前記引張又は圧縮に対する即時の調節と、これにより得られる前記共鳴振動に対する修正とを可能にするように調節可能に取り付けられている。
【０００７】
前記調節は、前記剛性部材に加えられる圧縮又は引張により、最も好ましくは、圧縮を加えることにより行われことができる。
【０００８】
前記剛性部材は、好ましくは細長いロッドであり、且つ、圧縮中に、前記共鳴板に押しつけられるように前記剛性部材の長さに沿って歪み得る。前記細長いロッドは、好ましくは、ほぼ真直であるが、長手方向軸に沿ったわずかな偏位を含むことができ、これにより、前記剛性部材と前記共鳴板との前記接触を生じるように前記歪みの方向に付勢される。
【０００９】
前記剛性部材は、最も好ましくは、軟鋼、集成木材、若しくは、ポリカーボネート／炭素繊維を含む合成材料、又はこれらの材料の組合せから選択される。
【００１０】
前記剛性部材は、好ましくは前記第２端部にねじ部を含み、前記ねじ部は前記本体の第２端部に取り付けられており、前記第２端部におけるキャプティブナットの回転により調節され得る。
【００１１】
前記マイクロホン又はセンサが、好ましくは、ピックアップのために、前記共鳴板の下に、前記剛性部材に隣接して配置され、最も好ましくは、前記剛性部材と前記共鳴板との前記接触点に隣接して配置されている。
【００１２】
ここで、本発明を、図１〜図３に示されているような電子バイオリンの１つの特に好ましい実施形態に関して説明する。以下は図面の説明である。
【図面の簡単な説明】
【００１３】
【図１】側面図である。
【図２】上面図である。
【図３】底面図である。
【発明を実施するための形態】
【００１４】
最初に、図１を参照すると、バイオリンの形態の電気機械楽器の側面図が示されている。バイオリンの特定の実施形態は例示的に過ぎない。なぜなら、本発明の楽器は、楽器の全体的共鳴振動又は部分的共鳴振動を本体１の音響挙動により発生させることができる任意の楽器であってよいからである。楽器の全体的又は部分的共鳴振動は、楽器本体（共鳴ユニットとして作用し、それにより、楽器の主要音を発生する）の挙動及び音響性能に関連している。別の楽器は、様々な弦楽器も、又は、ドラムのような、引張られる弦の代わりに伸長される皮膜を本体に組み込んだ楽器も含み得る。
【００１５】
本発明の楽器は、第１の端部２及び第２の端部３を有する本体１を備えている。本体１は、バイオリンの場合、図面の例に詳細に示されているように、バイオリンの本体１のトップブロックを形成している第１端部２、及び、エンドブロックを形成している第２端部３を有する。この楽器は、さらに共鳴板４を含む。共鳴板４は、バイオリンの場合、本体の第１端部２と第２端部３との間のトップ部を用いた共鳴板である。或いは、ドラムの場合、共鳴板は、ドラムの本体上に形成された伸長された皮膜であり得る。
【００１６】
共鳴板４は、楽器の生の振動応答を発生させる。バイオリンの場合、これは、振動している弦１０をブリッジ（駒）１１を介して共鳴板４に伝達することにより発生される。
【００１７】
本楽器は、さらに、接触マイクロホン又はセンサ５を含む。接触マイクロホン又はセンサ５は、バイオリンの場合、ブリッジの足元の下領域の、類似の伝統的な楽器に見られるような魂柱の一般的位置に配置される。
【００１８】
接触マイクロホン又はセンサは、楽器本体全体により発生された共鳴振動を、適切なセンサを有し、且つ、伝統的な方法での増幅に適したマイクロホンを用いて受け拾う。
【００１９】
特に好ましい実施形態において、マイクロホン又はセンサは、ブリッジ／共鳴板がセンサ上面で押圧されることにより作動される圧電結晶を含む。センサの音響共鳴性能は、センサの位置をブリッジに対して調節し、それにより、前記圧電結晶に加えられる圧力を変更することにより修正され得る。
【００２０】
本発明の楽器は、バイオリン本体の第１端部２（すなわちトップブロック）と、第２端部３（すなわちエンドブロック）との間に配置された細長い剛性部材６を備えていることにより特徴付けられる。この剛性部材は、好ましくは金属ロッドの形態であり、第１端部２に固定されており、且つ、第２端部３に対して調節可能である。剛性部材又は金属ロッド６の調節は、バイオリン本体の強化をもたらす。しかし、重要で意外なことは、この調節が、さらに、楽器の固有の共鳴振動の微細レベルでの調節及び修正をもたらすことである。これは、剛性部材を本体の第１端部及び第２端部に対して圧縮状態で配置するか、或いは、引張状態で配置することによる調節であり、これにより、楽器全体の共鳴振動が、要求条件、大気条件に従って、或いは、エンドユーザの好み又は趣味に応じた楽器音の調節方法で微調整及び調節されることが可能になる。
【００２１】
剛性部材は、好ましくは、圧縮状態で配置され、第２端部８にねじ部が設けられ、また、本体１の第２端部３にて、キャプティブナットを用いて適切な位置に保持される。そして、キャプティブナットの回転が、本体の第１端部及び第２端部に対する剛性部材６の圧縮又は引張に影響を与え、これにより、楽器の極めて微細な調節と、楽器により生成される共鳴振動の調節とを可能にする。
【００２２】
特に好ましい実施態様において、剛性部材６は圧縮状態で配置され、そして、共鳴板４に接触するように上方向に曲げられる。細長い剛性部材のこのような歪み、及び、共鳴板との接触は、真直なロッドからのわずかな偏位(deviation)を導入することにより制御されることができ、この偏位が、圧縮により剛性部材が曲がって共鳴板上に押しつけられることを保証する。特に好ましい実施態様において、剛性部材は、共鳴板に加えられる圧力の程度を変えるために共鳴板４に押しつけられるように調節されることができ、それにより、共鳴板により発生される生の振動と、次いで楽器全体により発生される共鳴振動とをさらに改善し制御することができる。
【００２３】
剛性部材は、十分に剛性の、圧縮及び／又は引張状態で配置されることができ、且つ、好ましくは、軟鋼、集成木材、ポリカーボネート又は炭素繊維を含む、任意の材料からつくられることができる。
【００２４】
特に好ましい実施態様の共鳴板４は、４ｍｍの南洋杉薄板（任意には、装飾ベニヤにより化粧張りされた）から作られ、また、本体には、低振動応答、又は、好ましくは中立の振動応答を発生させる音響的に中性の任意の材料からつくられた裏板が設けられ得る。このようにして、振動応答は、共鳴板及び剛性部材の操作により制御され、また、裏板により不必要に付勢されず、影響も受けない。
【００２５】
図２及び図３は、接触マイクロホン５の好ましい位置が明確に示された上面図及び底面図を示す。
【００２６】
当業者には、特定の実施形態にて示した本発明に対し、多数の変更及び／又は修正が、広義に記載された本発明の範囲から逸脱せず行われ得ることが理解されるであろう。従って、本発明の実施形態は、全ての点において例示的であり、限定的でないとみなされよう。
【符号の説明】
【００２７】
１  本体
２  本体の第１端部
３  本体の第２端部
４  共鳴板
５  接触マイクロホン／センサ
６  剛性部材
７  ねじ部
８  剛性部材の第２端部
９  キャプティブナット
１０  弦
１１  ブリッジ（駒）
【図１】
2014517340.tif 000003
【図２】
2014517340.tif 000004
【図３】
2014517340.tif 000005
【国際調査報告】
2014517340.tif 000006
2014517340.tif 000007